(57)【要約】【課題】壁面等に固定するディスプレイが大型化して重量が増大しても、極めて強固に固定することができる薄型ディスプレイ用壁掛け金具を提供する。【解決手段】ベース金具１０の下端部を屈曲して下部支持部１１を設ける。ベース金具１０の左右側縁部に断面コ字形状の左右支持部１２を設ける。取付金具２０の下端部を屈曲して下屈曲片２１を設ける。取付金具２０の左右側縁部に左右係止片２２を設ける。左右係止片２２を左右支持部１２内に上から差し込んで係止する。下部支持部１１上に下屈曲片２１を載置して固定する。【選択図】  図２
0003198797.tif 000002
【実用新案登録請求の範囲】
【請求項１】
壁面に固定する矩形状のベース金具と、ディスプレイの背面に固定された矩形状の取付金具とを重合してディスプレイを壁面に取り付けるように構成した薄型ディスプレイ用壁掛け金具において、
ベース金具は、下端部をディスプレイ側に屈曲した下部支持部と、左右側縁部を内側に向けて断面コ字形状に屈曲した左右支持部とを備え、
取付金具は、該左右支持部の内側でベース金具に重合する矩形状を成し、下端部をベース金具がわに屈曲した下屈曲片と、左右側縁部から外側に向けて張出して左右支持部の内部に係止する左右係止片とを備え、
ディスプレイを壁面に取り付ける際に、取付金具の左右係止片をベース金具の左右支持部内に上から差し込んで係止すると共に、ベース金具の下部支持部上に取付金具の下屈曲片を載置して固定するように構成したことを特徴とする薄型ディスプレイ用壁掛け金具。
【請求項２】
前記取付金具において、前記左右係止片の下端部にガイド端部を形成し、該ガイド端部を前記ベース金具の板面上部に当てながら下げると、前記左右係止片の下端部が前記ベース金具の前記左右支持部の上部に導入されるように構成した請求項１記載の薄型ディスプレイ用壁掛け金具。
【請求項３】
前記取付金具の前記左右係止片の外形に、前記左右係止片相互の下端部間の幅を上端部間の幅よりも狭くなるテーパーを形成すると共に、前記ベース金具の左右支持部の内側縁にテーパーを形成してテーパー相互が嵌合するように構成し、前記ベース金具の前記左右支持部内に上部から差し込む際に隙間が生じ、前記下部支持部上に前記下屈曲片を載置したときに前記左右支持部と前記左右係止片との間に隙間がなくなるように構成した請求項１記載の薄型ディスプレイ用壁掛け金具。
【請求項４】
前記取付金具の前記左右係止片の上部に圧着突起を設けると共に、前記ベース金具の板面の下部に圧着突起を設け、左右係止片を左右支持部内に係止したときに、圧着突起及び圧着突起にて、ベース金具と取付金具とを圧着状態で固定するように設けた請求項１記載の薄型ディスプレイ用壁掛け金具。
【考案の詳細な説明】
【技術分野】
【０００１】
本考案は、壁面に装着する薄型テレビやモニタ等の大型ディスプレイを強固に取り付けることができる薄型ディスプレイ用壁掛け金具に関する。
【背景技術】
【０００２】
液晶テレビやモニタなどの薄型ディスプレイを一般家庭のリビングや病院の待合室などの壁面に固定する壁掛け金具が種々開発されている。一方、薄型ディスプレイを壁面等に取り付ける際の寸法について定めた国際規格としてＶＥＳＡ規格が知られている。この規格では、例えば薄型ディスプレイを取り付ける際の取付ピッチを業界基準として示したものである。
【０００３】
このＶＥＳＡ規格に準拠したベース金具を使用して薄型テレビやモニタを壁面に取り付ける薄型モニタ壁掛け金具が特許文献１に記載されている。この金具は、予めベース金具を壁面に固定しておき、モニタ側にＶＥＳＡ規格に対応するモニタ取付金具を取り付ける。そして、ベース金具とモニタ取付金具とのそれぞれの下端部を側面略コの字状に折り曲げ、この折り曲げ部分を重ね合わせると共に、ベース金具の上端部に突設したツメをモニタ取付金具の穴に係止させて固定するものである。
【先行技術文献】
【特許文献】
【０００４】
【特許文献１】実用新案登録第３１６４３３７号公報
【考案の開示】
【考案が解決しようとする課題】
【０００５】
ところが、特許文献１の金具では、比較的軽量なディスプレイを取り付ける際に好適であっても、大型ディスプレイを取付ける場合の強度に課題を残すものであった。すなわち、ベース金具とモニタ取付金具とのそれぞれの下端部を側面略コの字状に折り曲げ、ベース金具の折り曲げ部分の上にモニタ取付金具の折り曲げ部分を重ね合わせる構造なので、ディスプレイ全体の荷重はベース金具の折り曲げ部分に集中することになる。そのため、ディスプレイが大型化するほど重量が増大し、荷重が集中するベース金具に変形等が生じる虞がある。
【０００６】
そこで、本考案は上述の課題を解消すべく案出されたもので、壁面等に固定するディスプレイが大型化して重量が増大しても、極めて強固に固定することができる薄型ディスプレイ用壁掛け金具の提供を目的とするものである。
【課題を解決するための手段】
【０００７】
本考案の第１の手段は、壁面Ｑに固定する矩形状のベース金具１０と、ディスプレイＰの背面に固定された矩形状の取付金具２０とを重合してディスプレイＰを壁面Ｑに取り付けるように構成したディスプレイ用壁掛け金具において、ベース金具１０は、下端部をディスプレイＰ側に屈曲した下部支持部１１と、左右側縁部を内側に向けて断面コ字形状に屈曲した左右支持部１２とを備え、取付金具２０は、下端部をベース金具がわに屈曲した下屈曲片２１と、左右側縁部から外側に向けて張出した左右係止片２２とを備え、ディスプレイＰを壁面Ｑに取り付ける際に、取付金具２０の左右係止片２２をベース金具１０の左右支持部１２内に上から差し込んで係止すると共に、ベース金具１０の下部支持部１１上に取付金具２０の下屈曲片２１を載置して固定するように構成したことにある。
【０００８】
第２の手段は、前記取付金具２０において、前記左右係止片２２の下端部にガイド端部２３を形成し、該ガイド端部２３を前記ベース金具１０の板面上部に当てながら下げると、前記左右係止片２２の下端部が前記ベース金具１０の前記左右支持部１２の上部に導入されるように構成している。
【０００９】
第３の手段は、前記取付金具２０の前記左右係止片２２の外形に、前記左右係止片２２相互の下端部間の幅を上端部間の幅よりも狭くなるテーパー１２Ａを形成すると共に、前記ベース金具１０の左右支持部１２の内側縁にテーパー２２Ａを形成してテーパー１２Ａ、２２Ａ相互が嵌合するように構成し、前記ベース金具１０の前記左右支持部１２内に上部から差し込む際に隙間が生じ、前記下部支持部１１上に前記下屈曲片２１を載置したときに前記左右支持部１２と前記左右係止片２２との間に隙間がなくなるように構成したものである。
【００１０】
第４の手段は、前記取付金具２０の前記左右係止片２２の上部に圧着突起２４を設けると共に、前記ベース金具１０の板面の下部に圧着突起１３を設け、左右係止片２２を左右支持部１２内に係止したときに、圧着突起２４及び圧着突起１３にて、ベース金具１０と取付金具２０とを圧着状態で固定するように設けたことにある。
【考案の効果】
【００１１】
本考案の請求項１の如く、取付金具２０の左右係止片２２をベース金具１０の左右支持部１２内に上から差し込んで係止すると共に、ベース金具１０の下部支持部１１上に取付金具２０の下屈曲片２１を載置して固定するように構成したことにより、ディスプレイＰの荷重はベース金具１０の下部支持部１１と左右支持部１２とに分散するので、ディスプレイＰが大型化して重量が増大してもベース金具１０の変形を防止し、極めて強固な固定力が得られる。
【００１２】
請求項２のように、左右係止片２２の下端部にガイド端部２３を形成し、該ガイド端部２３をベース金具１０の板面上部に当てながら下げると、左右係止片２２の下端部がベース金具１０の左右支持部１２の上部に導入されるように構成したことで、特に大型のディスプレイＰに装着された取付金具２０を壁面Ｑのベース金具１０に装着する作業でも容易に行うことができる。
【００１３】
請求項３のごとく、前記取付金具２０の前記左右係止片２２の外形に、下端部間の幅を上端部間の幅よりも狭くなるテーパー１２Ａを形成すると共に、前記ベース金具１０の左右支持部１２の内側縁にテーパー２２Ａを形成してテーパー１２Ａ、２２Ａ相互が嵌合するように構成し、ベース金具１０の左右支持部１２内に上部から差し込む際に隙間が生じ、下部支持部１１上に下屈曲片２１を載置したときに左右支持部１２と左右係止片２２との間に隙間がなくなるように構成したことで、容易な作業性と取付金具２０の左右のブレを防止して確実な固定力を得ることができる。
【００１４】
請求項４のように、圧着突起２４と圧着突起１３とを設け、左右係止片２２を左右支持部１２内に係止したときに、ベース金具１０と取付金具２０とを圧着状態で固定するように設けたことで、取付金具２０の前後のブレを防止してより確実な固定力を得ることができるものである。
【図面の簡単な説明】
【００１５】
【図１】本考案の使用状態を示す概略側面図である。
【図２】本考案の一実施例を示す背面図である。
【図３】本考案の差し込み状態を示す背面図である。
【図４】本考案の重合状態を示す背面図である。
【図５】本考案の差し込み状態を示す側断面図である。
【図６】本考案の差し込み状態を示す要部拡大断面図である。
【図７】（イ）、（ロ）は、重合状態に至る工程を示す側断面図である。
【図８】（イ）、（ロ）は、圧着突起の圧着状態を示す要部拡大断面図である。
【考案を実施するための形態】
【００１６】
本考案は、予め壁面にベース金具１０を固定しておき、ディスプレイＰ側に取付けた取付金具２０をベース金具１０に連結することで、ディスプレイＰを壁面Ｑに取り付けるように構成したディスプレイ用壁掛け金具である（図１参照）。
【００１７】
ベース金具１０は、矩形の板体形状を成す部材で下端部をＬ字状に屈曲してディスプレイＰ側に突出した下部支持部１１を形成している（図５参照）。また左右側縁部を内側に向けて断面コ字形状に屈曲した左右支持部１２を形成している（図３参照）。
【００１８】
一方、取付金具２０は、ベース金具１０と同様に矩形の板体形状を成す部材で、下端部をベース金具がわに屈曲してＬ字状の下屈曲片２１を形成している（図５参照）。また、左右側縁部から外側に向けて張出した左右係止片２２を形成している（図２照）。
【００１９】
図示例では、左右係止片２２の下端部にガイド端部２３を形成している（図６参照）。このガイド端部２３をベース金具１０の板面上部に当てながら下げると、左右係止片２２の下端部がベース金具１０の左右支持部１２の上部に導入されるように構成している（図６参照）。すなわち、取付金具２０の下端部をベース金具１０の前面に押し付けながら下にスライドさせると、左右係止片２２が左右支持部１２内に差し込まれるものである（図３参照）。
【００２０】
このとき、ベース金具１０の下部支持部１１上に取付金具２０の下屈曲片２１を載置した後は、固定ネジ１４によって下部支持部１１と下屈曲片２１を連結することでより確実に連結することができる（図４参照）。
【００２１】
また、取付金具２０の前記左右係止片２２の外形に、下端部間の幅を上端部間の幅よりも狭くなるテーパー２２Ａを形成している（図７（イ）参照）。更に、ベース金具１０の左右支持部１２の内側縁にもテーパー２２Ａを形成しており、これらテーパー１２Ａ、２２Ａ相互が嵌合するように構成している（同図（ロ）参照）。この結果、ベース金具１０の左右支持部１２内に上方から左右係止片２２の下端部を差し込む際に、左右係止片２２の下端部と左右支持部１２の上端部との間に隙間が生じるので、左右係止片２２の差込操作が容易になる（図７（イ）参照）。
【００２２】
更に、取付金具２０を下げて下部支持部１１上に下屈曲片２１を載置したときに左右係止片２２と左右支持部１２との間に隙間がなくなり、左右のブレがなくなるものである（図７（ロ）参照）。
【００２３】
また、左右係止片２２のベース金具１０側に面した上部位置に圧着突起２４を設けている（図２参照）。この圧着突起２４は、左右係止片２２を左右支持部１２内に重合したときに左右係止片２２と左右支持部１２との間に挟着される部位である（図８（イ）参照）。そして、この圧着突起２４で、左右係止片２２と左右支持部１２とを圧着状態で固定する。
【００２４】
更に、ベース金具１０の取付金具２０側板面の下部適位置に圧着突起１３を設けている（図８（ロ）参照）。この圧着突起１３により、ベース金具１０と取付金具２０とを重合した際に、圧着状態で固定することができる。
【００２５】
このように、左右係止片２２を左右支持部１２内に係止したときに、圧着突起２４及び圧着突起１３にて、ベース金具１０と取付金具２０とを圧着状態で固定するように設けることで、取付金具２０を強固に固定することができる。
【００２６】
尚、図示例の各構成は、本考案の一実施例に過ぎず、ベース金具１０や取付金具２０の各構成は本考案の要旨を変更しない範囲において自由に変更することができる。
【符号の説明】
【００２７】
Ｐ  ディスプレイ
Ｑ  壁面
１０  ベース金具
１１  下部支持部
１２  左右支持部
１２Ａ  テーパー
１３  圧着突起
１４  固定ネジ
２０  取付金具
２１  下屈曲片
２２  左右係止片
２２Ａ  テーパー
２３  ガイド端部
２４  圧着突起
【図１】
0003198797.tif 000003
【図２】
0003198797.tif 000004
【図３】
0003198797.tif 000005
【図４】
0003198797.tif 000006
【図５】
0003198797.tif 000007
【図６】
0003198797.tif 000008
【図７】
0003198797.tif 000009
【図８】
0003198797.tif 000010